【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
患者に情報を提供する方法であって、患者は、呼吸ガスの流れを患者に送達することによって患者の状態を処置するよう患者に療法を提供するよう構成された圧力支援システムを使い、当該方法は：
コンピューティング装置において、前記圧力支援システムの一つまたは複数の特定のコンポーネントを同定する第一の情報を受領する段階と；
前記コンピューティング装置において、前記圧力支援システムによる療法の提供中に前記圧力支援システムによって測定されるデータが前記圧力支援システムから該データが処理される位置に転送されるデータ接続法を同定する第二の情報を受領する段階と；
前記コンピューティング装置のディスプレイ上に第三の情報を表示する段階とを含み、前記第三の情報は、（ｉ）前記圧力支援システムの使用または前記圧力支援システムについてのケアに関する情報、（ｉｉ）前記圧力支援システムからのデータを転送することに関する情報および（ｉｉｉ）前記圧力支援システムの使用に関する問題の一つまたは複数の解決策に関する情報を含み、前記第三の情報は、前記第一の情報および前記第二の情報の一方または両方に基づいて選択される、
方法。
【請求項２】
前記コンピューティング装置において患者／療法メトリック・データを取得する段階であって、前記患者／療法メトリック・データは、患者への療法の提供の間に前記圧力支援システムによって測定される前記データを処理することによって形成される、段階と、
前記患者／療法メトリック・データを前記コンピューティング装置のディスプレイ上で表示する段階とをさらに含む、
請求項１記載の方法。
【請求項３】
前記患者／療法メトリック・データが前記ディスプレイ上の第一の画面のメトリック領域に表示され、前記第三の情報の少なくとも一部が前記第一の画面の動的メッセージング領域に同時に表示される、請求項２記載の方法。
【請求項４】
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの少なくとも一つである、請求項２記載の方法。
【請求項５】
前記圧力支援システムの前記一つまたは複数の特定のコンポーネントが、特定のマスクまたは特定の圧力発生装置を含み、前記第一の情報が前記特定のマスクを同定する情報または前記特定の圧力発生装置を同定する情報を含む、請求項１記載の方法。
【請求項６】
前記第三の情報が、（ｉ）前記特定の圧力発生装置の動作および使用に関する、テキストと、ビデオへの一つまたは複数のリンクとのうちの少なくとも一方を含む装置案内および（ｉｉ）前記特定のマスクの使用に関する、テキストと、ビデオへの一つまたは複数のリンクとのうちの少なくとも一方を含むマスク案内のうちの一方を含む、請求項５記載の方法。
【請求項７】
前記第三の情報が、前記第一の情報および前記患者／療法メトリック・データに基づく、請求項２記載の方法。
【請求項８】
患者に情報を提供するよう構成されたコンピューティング装置であって、患者は、呼吸ガスの流れを患者に送達することによって患者の状態を処置するよう患者に療法を提供するよう構成された圧力支援システムを使い、当該コンピューティング装置は：
ディスプレイと；
プロセッサおよびメモリを含むプロセッサ装置とを有し、前記メモリは前記プロセッサによって実行可能な一つまたは複数のルーチンを記憶し、前記一つまたは複数のルーチンは：
前記圧力支援システムの一つまたは複数の特定のコンポーネントを同定する第一の情報を受領する段階と；
前記圧力支援システムによる療法の提供中に前記圧力支援システムによって測定されるデータが前記圧力支援システムから該データが処理される位置に転送されるデータ接続法を同定する第二の情報を受領する段階と；
前記ディスプレイ上に第三の情報を表示する段階とを実行するために適応されており、前記第三の情報は、（ｉ）前記圧力支援システムの使用または前記圧力支援システムについてのケアに関する情報、（ｉｉ）前記圧力支援システムからのデータを転送することに関する情報および（ｉｉｉ）前記圧力支援システムの使用に関する問題の一つまたは複数の解決策に関する情報を含み、前記第三の情報は、前記第一の情報および前記第二の情報の一方または両方に基づいて選択される、
コンピューティング装置。
【請求項９】
当該コンピューティング装置がポータブル電子装置およびパーソナル・コンピュータのうちの一つである、請求項８記載のコンピューティング装置。
【請求項１０】
前記一つまたは複数のルーチンがさらに、
患者／療法メトリック・データを取得する段階であって、前記患者／療法メトリック・データは、患者への療法の提供の間に前記圧力支援システムによって測定される前記データを処理することによって形成される、段階と、
前記患者／療法メトリック・データを前記ディスプレイ上で表示する段階とを実行するために適応されている、
請求項８記載のコンピューティング装置。
【請求項１１】
前記患者／療法メトリック・データが前記ディスプレイ上の第一の画面のメトリック領域に表示され、前記第三の情報の少なくとも一部が前記第一の画面の動的メッセージング領域に同時に表示される、請求項１０記載のコンピューティング装置。
【請求項１２】
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの一つである、請求項１０記載のコンピューティング装置。
【請求項１３】
前記圧力支援システムの前記一つまたは複数の特定のコンポーネントが、特定のマスクまたは特定の圧力発生装置を含み、前記第一の情報が前記特定のマスクを同定する情報または前記特定の圧力発生装置を同定する情報を含む、請求項８記載のコンピューティング装置。
【請求項１４】
前記第三の情報が、（ｉ）前記特定の圧力発生装置の動作および使用に関する、テキストと、ビデオへの一つまたは複数のリンクとのうちの少なくとも一方を含む装置案内および（ｉｉ）前記特定のマスクの使用に関する、テキストと、ビデオへの一つまたは複数のリンクとのうちの少なくとも一方を含むマスク案内のうちの一方を含む、請求項１３記載のコンピューティング装置。
【請求項１５】
前記第三の情報が、前記第一の情報および前記患者／療法メトリック・データに基づく、請求項１０記載のコンピューティング装置。
【手続補正２】
【補正対象書類名】明細書
【補正対象項目名】００６８
【補正方法】変更
【補正の内容】
【００６８】
本発明について、例解のために、現在のところ最も実際的で好ましい実施形態であると考えられるものに基づいて詳細に説明してきたが、そのような詳細はあくまでもその目的のためであって、本発明は開示される実施形態に限定されるものではなく、逆に、付属の請求項の精神および範囲内にある修正および等価な構成をカバーすることが意図されていることは理解しておくものとする。たとえば、本発明が、可能な限りにおいて、任意の実施形態の一つまた複数の事項が他の任意の実施形態の一つまたは複数の事項と組み合わされることができることを考えている。
いくつかの態様を記載しておく。
〔態様１〕
患者に情報を提供する方法であって、患者は、呼吸ガスの流れを患者に送達することによって患者の状態を処置するよう患者に療法を提供するよう構成された圧力支援システムを使い、当該方法は：
コンピューティング装置において、前記圧力支援システムの一つまたは複数の特定のコンポーネントを同定する第一の情報を受領する段階と；
前記コンピューティング装置において、療法の提供中に前記圧力支援システムによって測定されるデータが前記圧力支援システムから該データが処理される位置に転送されるデータ接続法を同定する第二の情報を受領する段階と；
前記コンピューティング装置のディスプレイ上に第三の情報を表示する段階とを含み、前記第三の情報は、（ｉ）前記圧力支援システムの使用または前記圧力支援システムについてのケアに関する情報、（ｉｉ）前記圧力支援システムからのデータを転送することに関する情報および（ｉｉｉ）前記圧力支援システムの使用に関する問題の一つまたは複数の解決策に関する情報のうちの一つであり、前記第三の情報は、前記第一の情報および前記第二の情報の一方または両方に基づいて選択される、
方法。
〔態様２〕
前記コンピューティング装置において患者／療法メトリック・データを取得する段階であって、前記患者／療法メトリック・データは、患者への療法の提供の間に前記圧力支援システムによって測定される前記データを処理することによって形成される、段階と、
前記患者／療法メトリック・データを前記コンピューティング装置のディスプレイ上で表示する段階とをさらに含む、
態様１記載の方法。
〔態様３〕
前記患者／療法メトリック・データが前記ディスプレイ上の第一の画面（１３０Ｂ）のメトリック領域に表示され、前記第三の情報が前記第一の画面の動的メッセージング領域に同時に表示される、態様２記載の方法。
〔態様４〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの少なくとも一つである、態様２記載の方法。
〔態様５〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様４記載の方法。
〔態様６〕
前記第三のメトリックが無呼吸／呼吸低下インデックスである、態様３記載の方法。
〔態様７〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様２記載の方法。
〔態様８〕
前記圧力支援システムの前記一つまたは複数の特定のコンポーネントが、特定のマスクまたは特定の圧力発生装置を含み、前記第一の情報が前記特定のマスクを同定する情報または前記特定の圧力発生装置を同定する情報を含む、態様１記載の方法。
〔態様９〕
前記第三の情報が前記特定の圧力発生装置の動作および使用に関する、テキストと、ビデオへの一つまたは複数のリンクとのうちの少なくとも一方を含む装置案内を含む、態様８記載の方法。
〔態様１０〕
前記第三の情報が前記特定のマスクの使用に関する、テキストと、ビデオへの一つまたは複数のリンクとのうちの少なくとも一方を含むマスク案内を含む、態様８記載の方法。
〔態様１１〕
前記第三の情報が、前記圧力発生システムの使用に関する問題に対処するための情報を提供する、態様１記載の方法。
〔態様１２〕
前記第三の情報が、前記第一の情報および前記患者／療法メトリック・データに基づく、態様２記載の方法。
〔態様１３〕
前記第三の情報が、前記圧力発生システムの使用に関する問題に対処するための情報を提供する、態様９記載の方法。
〔態様１４〕
前記特定のマスクを同定する前記情報または特定の圧力発生装置を同定する前記情報が、前記コンピューティング装置において、前記コンピューティング装置への手動入力、前記コンピューティング装置において画像を処理することによる自動認識、前記圧力支援システムから前記コンピューティング装置において情報を有線もしくは無線で受信することによる自動認識のうちの一つまたは複数を通じて受領される、態様８記載の方法。
〔態様１５〕
患者に情報を提供するよう構成されたコンピューティング装置であって、患者は、呼吸ガスの流れを患者に送達することによって患者の状態を処置するよう患者に療法を提供するよう構成された圧力支援システムを使い、当該コンピューティング装置は：
ディスプレイと；
プロセッサおよびメモリを含むプロセッサ装置とを有し、前記メモリは前記プロセッサによって実行可能な一つまたは複数のルーチンを記憶し、前記一つまたは複数のルーチンは：
前記圧力支援システムの一つまたは複数の特定のコンポーネントを同定する第一の情報を受領する段階と；
療法の提供中に前記圧力支援システムによって測定されるデータが前記圧力支援システムから該データが処理される位置に転送されるデータ接続法を同定する第二の情報を受領する段階と；
前記ディスプレイ上に第三の情報を表示する段階とを実行するために適応されており、前記第三の情報は、（ｉ）前記圧力支援システムの使用または前記圧力支援システムについてのケアに関する情報、（ｉｉ）前記圧力支援システムからのデータを転送することに関する情報および（ｉｉｉ）前記圧力支援システムの使用に関する問題の一つまたは複数の解決策に関する情報のうちの一つであり、前記第三の情報は、前記第一の情報および前記第二の情報の一方または両方に基づいて選択される、
コンピューティング装置。
〔態様１６〕
当該コンピューティング装置がポータブル電子装置およびパーソナル・コンピュータのうちの一つである、態様１５記載のコンピューティング装置。
〔態様１７〕
前記一つまたは複数のルーチンがさらに、
患者／療法メトリック・データを取得する段階であって、前記患者／療法メトリック・データは、患者への療法の提供の間に前記圧力支援システムによって測定される前記データを処理することによって形成される、段階と、
前記患者／療法メトリック・データを前記ディスプレイ上で表示する段階とを実行するために適応されている、
態様１５記載のコンピューティング装置。
〔態様１８〕
前記患者／療法メトリック・データが前記ディスプレイ上の第一の画面のメトリック領域に表示され、前記第三の情報が前記第一の画面の動的メッセージング領域に同時に表示される、態様１７記載のコンピューティング装置。
〔態様１９〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの一つである、態様１７記載のコンピューティング装置。
〔態様２０〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様１９記載のコンピューティング装置。
〔態様２１〕
前記第三のメトリックが無呼吸／呼吸低下インデックスである、態様２０記載のコンピューティング装置。
〔態様２２〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様１７記載のコンピューティング装置。
〔態様２３〕
前記圧力支援システムの前記一つまたは複数の特定のコンポーネントが、特定のマスクまたは特定の圧力発生装置を含み、前記第一の情報が前記特定のマスクを同定する情報または前記特定の圧力発生装置を同定する情報を含む、態様１５記載のコンピューティング装置。
〔態様２４〕
前記第三の情報が前記特定の圧力発生装置の動作および使用に関する、テキストと、ビデオへの一つまたは複数のリンクとのうちの少なくとも一方を含む装置案内を含む、態様２３記載のコンピューティング装置。
〔態様２５〕
前記第三の情報が前記特定のマスクの使用に関する、テキストと、ビデオへの一つまたは複数のリンクとのうちの少なくとも一方を含むマスク案内を含む、態様２３記載のコンピューティング装置。
〔態様２６〕
前記第三の情報が、前記圧力発生システムの使用に関する問題に対処するための情報を提供する、態様１５記載のコンピューティング装置。
〔態様２７〕
前記第三の情報が、前記第一の情報および前記患者／療法メトリック・データに基づく、態様１７記載のコンピューティング装置。
〔態様２８〕
前記第三の情報が、前記圧力発生システムの使用に関する問題に対処するための情報を提供する、態様２７記載のコンピューティング装置。
〔態様２９〕
一つまたは複数のルーチンが、前記特定のマスクを同定する前記情報または特定の圧力発生装置を同定する前記情報が、前記コンピューティング装置において、前記コンピューティング装置への手動入力、前記コンピューティング装置において画像を処理することによる自動認識、前記圧力支援システムから前記コンピューティング装置において情報を有線もしくは無線で受信することによる自動認識のうちの一つまたは複数を通じて受領されることを可能にするよう適応されている、態様２３記載のコンピューティング装置。
〔態様３０〕
患者に情報を提供する方法であって、患者は、呼吸ガスの流れを患者に送達することによって患者の状態を処置するよう患者に療法を提供するよう構成された圧力支援システムを使い、当該方法は：
コンピューティング装置において、前記圧力支援システムを使う処置に関する患者／療法メトリックに基づく目標を確立する段階と；
前記コンピューティング装置において、患者／療法メトリック・データを取得する段階であって、前記患者／療法メトリック・データは、患者への療法の提供中に前記圧力支援システムによって測定されるデータを処理することによって形成される、段階と；
前記コンピューティング装置のディスプレイ上に目標情報を表示する段階とを含み、前記目標情報は、前記目標に向けた進行を示し、前記患者／療法メトリック・データに基づく、
方法。
〔態様３１〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの少なくとも一つである、態様３０記載の方法。
〔態様３２〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様３１記載の方法。
〔態様３３〕
前記第三のメトリックが無呼吸／呼吸低下インデックスである、態様３２記載の方法。
〔態様３４〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様３０記載の方法。
〔態様３５〕
前記目標が、（ｉ）ある時間期間における前記圧力支援システムの少なくともある量の使用がある日数、（ｉｉ）前記圧力支援システムの連続使用日数、（ｉｉｉ）前記圧力支援システムの少なくとも前記ある量の使用がある連続日数、および（ｉｖ）前記第一のメトリックが少なくともある値である前記圧力支援システムの連続使用日数のうちの一つである、態様３１記載の方法。
〔態様３６〕
前記目標が達成されたと判定するのに応答して、前記コンピューティング装置において、前記目標が達成されたことを示す電子メッセージを自動的に生成する段階をさらに含む、態様３０記載の方法。
〔態様３７〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様３６記載の方法。
〔態様３８〕
前記コンピューティング装置がポータブル電子装置またはパーソナル・コンピュータのうちの一つである、態様３０記載の方法。
〔態様３９〕
前記コンピューティング装置において患者／療法メトリック・データを取得する前記段階が、前記コンピューティング装置および前記圧力支援システムからリモートなコンピュータ・システムから前記装置患者／療法メトリック・データを受領することを含む、態様３０記載の方法。
〔態様４０〕
前記コンピュータ・システムが前記装置患者／療法メトリック・データを形成する、態様３９記載の方法。
〔態様４１〕
（ｉ）前記コンピュータ・システムが、前記圧力支援システムによって測定された前記データを、前記コンピューティング装置から受領し、前記コンピューティング装置は前記圧力支援システムによって測定された前記データを前記圧力支援システムから直接受領する、
（ｉｉ）前記コンピュータ・システムが、前記圧力支援システムによって測定された前記データを、前記圧力支援システムから直接受領する、または
（ｉｉｉ）前記コンピュータ・システムが、前記圧力支援システムによって測定された前記データを、パーソナル・コンピュータから受領し、前記パーソナル・コンピュータは前記圧力支援システムによって測定された前記データを前記圧力支援システムから直接受領する、
態様３８記載の方法。
〔態様４２〕
態様４１記載の方法であって、（ｉ）の場合、前記コンピューティング装置は、前記圧力支援システムによって測定された前記データを前記圧力支援システムから、短距離無線伝送によって直接受領し、（ｉｉｉ）の場合、前記パーソナル・コンピュータは、前記圧力支援システムによって測定された前記データを前記圧力支援システムから、ポータブル・メモリ・デバイスを使った転送によりまたは短距離無線通信により、直接受領する、方法。
〔態様４３〕
前記コンピューティング装置において目標を確立する前記段階が、（ｉ）前記目標を確立する前記コンピューティング装置への入力を受領すること、（ｉｉ）前記圧力支援装置によって測定されたある種のデータおよび／または過去の患者／療法メトリック・データに基づいて前記コンピューティング装置において前記目標を自動的に設定すること、の少なくとも一方である、態様３０記載の方法。
〔態様４４〕
患者に情報を提供するよう構成されたコンピューティング装置であって、患者は、呼吸ガスの流れを患者に送達することによって患者の状態を処置するよう患者に療法を提供するよう構成された圧力支援システムを使い、当該コンピューティング装置は：
ディスプレイと；
プロセッサおよびメモリを含むプロセッサ装置とを含み、前記メモリは前記プロセッサによって実行可能な一つまたは複数のルーチンを記憶し、前記一つまたは複数のルーチンは：
前記圧力支援システムを使う処置に関する患者／療法メトリックに基づく目標を確立する段階と；
患者／療法メトリック・データを取得する段階であって、前記患者／療法メトリック・データは、患者への療法の提供中に前記圧力支援システムによって測定されるデータを処理することによって形成される、段階と；
目標情報を生成する段階であって、前記目標情報は、前記目標に向けた進行を示し、前記患者／療法メトリック・データに基づく、段階と；
前記ディスプレイに前記目標情報を表示させる段階とを実行するために適応されている、
コンピュータ装置。
〔態様４５〕
当該コンピューティング装置がポータブル電子装置またはパーソナル・コンピュータのうちの一つである、態様４４記載のコンピューティング装置。
〔態様４６〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの少なくとも一つである、態様４４記載のコンピューティング装置。
〔態様４７〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様４６記載のコンピューティング装置。
〔態様４８〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様４４記載のコンピューティング装置。
〔態様４９〕
前記第三のメトリックが無呼吸／呼吸低下インデックスである、態様４７記載のコンピューティング装置。
〔態様５０〕
前記目標が、（ｉ）ある時間期間における前記圧力支援システムの少なくともある量の使用がある日数、（ｉｉ）前記圧力支援システムの連続使用日数、（ｉｉｉ）前記圧力支援システムの少なくとも前記ある量の使用がある連続日数、および（ｉｖ）前記第一のメトリックが少なくともある値である前記圧力支援システムの連続使用日数のうちの一つである、態様４６記載のコンピューティング装置。
〔態様５１〕
前記一つまたは複数のルーチンがさらに、前記目標が達成されたと判定するのに応答して、前記コンピューティング装置に、前記目標が達成されたことを示す電子メッセージを自動的に生成させるよう適応されている、態様４４記載のコンピューティング装置。
〔態様５２〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様５０記載のコンピューティング装置。
〔態様５３〕
前記一つまたは複数のルーチンが、当該コンピューティング装置および前記圧力支援システムからリモートなコンピュータ・システムから前記装置患者／療法メトリック・データを受領することによって、前記患者／療法メトリック・データを取得するよう適応されている、態様４４記載のコンピューティング装置。
〔態様５４〕
呼吸ガスの流れを患者に送達することによって患者の状態を処置するよう患者に療法を提供するよう構成された圧力支援システムの、患者による使用に関する情報を報告する方法であって：
前記圧力支援システムとは別個のコンピューティング装置において、患者／療法メトリック・データを取得する段階であって、前記患者／療法メトリック・データは、患者への療法の提供中に前記圧力支援システムによって測定されるデータを処理することによって形成される、段階と；
前記コンピューティング装置において、前記患者／療法メトリック・データに基づく、前記コンピューティング装置から送出するための電子メッセージを自動的に生成する段階とを含む、
方法。
〔態様５５〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様５４記載の方法。
〔態様５６〕
前記コンピューティング装置がポータブル電子装置およびパーソナル・コンピュータのうちの一つである、態様５４記載の方法。
〔態様５７〕
前記コンピューティング装置において、前記装置患者／療法メトリック・データを取得する前記段階が、前記コンピューティング装置および前記圧力支援システムからリモートなコンピュータ・システムから前記装置患者／療法メトリック・データを受領することを含む、態様５４記載の方法。
〔態様５８〕
呼吸ガスの流れを患者に送達することによって患者の状態を処置するよう患者に療法を提供するよう構成された圧力支援システムの、患者による使用に関する情報を報告するよう構成されたコンピューティング装置であって、当該コンピューティング装置は前記圧力支援システムとは別個であり、
ディスプレイと；
プロセッサおよびメモリを含むプロセッサ装置とを有しており、前記メモリは前記プロセッサによって実行可能な一つまたは複数のルーチンを記憶し、前記一つまたは複数のルーチンは：
患者／療法メトリック・データを取得する段階であって、前記患者／療法メトリック・データは、患者への療法の提供中に前記圧力支援システムによって測定されるデータを処理することによって形成される、段階と；
前記患者／療法メトリック・データに基づく、前記コンピューティング装置から送出するための電子メッセージを自動的に生成する段階とを実行するために適応されている、
コンピューティング装置。
〔態様５９〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様５８記載のコンピューティング装置。
〔態様６０〕
前記コンピューティング装置がポータブル電子装置およびパーソナル・コンピュータのうちの一つである、態様５８記載のコンピューティング装置。
〔態様６１〕
前記患者／療法メトリック・データが、当該コンピューティング装置および前記圧力支援システムからリモートなコンピュータ・システムから受領される、態様５８記載のコンピューティング装置。
〔態様６２〕
患者に情報を提供するシステムにおけるユーザーについてのアカウントを確立する方法であって、患者は、呼吸ガスの流れを患者に送達することによって患者の状態を処置するよう患者に療法を提供するよう構成された圧力支援システムを使い、当該方法は：
コンピューティング装置において、ユーザーについてのユーザー名情報および前記圧力発生システムのコンポーネントを同定する装置同定情報を受領する段階と；
前記ユーザー名情報および前記装置同定情報を前記コンピューティング装置および前記圧力発生システムからリモートな位置に送信する段階と；
前記リモートな位置において、前記ユーザー名情報が前記システムにとって唯一であるかどうかおよび前記装置同定情報が有効であるかどうかを判定する段階と；
前記ユーザー名情報が前記システムにとって唯一でありかつ前記装置同定情報が有効であると判定される場合にのみ、前記アカウントを確立する段階とを含む、
方法。
〔態様６３〕
前記ユーザー名情報がユーザーの電子メール・アドレスを含む、態様６２記載の方法。
〔態様６４〕
前記装置同定情報が有効であるかどうかを判定することが、前記装置同定情報が前記圧力発生システムの前記コンポーネントの既知のモデルについての所定の期待される範囲内にはいるかどうかを判定することを含む、態様６２記載の方法。
〔態様６５〕
前記装置同定情報が、（ｉ）前記コンピューティング装置に手動で入力されるおよび（ｉｉ）前記コンポーネントから前記コンピューティング装置によって自動的に取得される、の一方である、態様６２記載の方法。
〔態様６６〕
態様６５記載の方法であって、（ｉｉ）の場合、前記装置同定情報が、前記コンピューティング装置上に与えられているバーコードを読む、前記バーコードの電子的な画像を処理するまたは前記コンポーネントの電子的な画像を処理する、のうちの一つによって得られる、方法。
〔態様６７〕
前記装置同定情報が、前記圧力発生システムが前記コンピューティング装置によって前記装置同定情報を送信するよう促されるのに応答して、前記圧力発生システムから直接、前記コンピューティング装置において受領される、態様６２記載の方法。